(57)【要約】      （修正有）【解決手段】第１の発明の印褥具は、インキ吸蔵体４を収納した基箱１の一側縁に蓋体２を開閉自在に枢着し、他端の側縁に蓋体をロックするロック部材５を取り付け、また閉蓋時、前記蓋体２は前記基箱１に嵌脱自在に嵌合してなる印褥具であって、前記ロックを解除するように前記ロック部材５を回動した場合、前記蓋体２に形成される解除片２ａと、前記ロック部材５に形成される解除用突出片５ａとが係合し、前記基箱１と前記蓋体２との嵌合を解除することを特徴とする。【効果】前記ロックを解除するように前記ロック部材を回動した場合、前記蓋体に形成される解除片と、前記ロック部材に形成される解除用突出片とが係合し、前記基箱と前記蓋体との嵌合を解除するため、蓋体の開閉作業を簡単にできる。【選択図】図３
2010069813.tif 000002
【特許請求の範囲】
【請求項１】
インキ吸蔵体を収納した基箱の一側縁に蓋体を開閉自在に枢着し、他端の側縁に蓋体をロックするロック部材を取り付け、また閉蓋時、前記蓋体は前記基箱に嵌脱自在に嵌合してなる印褥具であって、
前記ロックを解除するように前記ロック部材を回動した場合、前記蓋体に形成される解除片と、前記ロック部材に形成される解除用突出片とが係合し、前記基箱と前記蓋体との嵌合を解除することを特徴とする印褥具。
【請求項２】
前記ロックを解除するように前記ロック部材を回動した場合、基箱に形成されるストッパー片と、ロック部材に形成されるストッパー用突出片とが係合し、前記ロック部材が水平位置よりも下方側へ回動しないように規制することを特徴とする請求項１に記載の印褥具。
【発明の詳細な説明】
【技術分野】
【０００１】
本発明は、開蓋時において片手で持ちやすく優れた使い勝手を発揮し、また閉蓋時には凹凸のないフラット面を構成して優れた外観性を奏するロック部材付きスタンプ台、朱肉等の印褥具に関するものである。中でも、揮発性のあるインキを含浸させた印褥具に有用である。
【背景技術】
【０００２】
従来から、インキ吸蔵体を収納した基箱の一側縁に蓋体を開閉自在に枢着し、また他端の側縁に蓋体のロック部材を取り付けてなるスタンプ台が広く知られている。このロック部材は、蓋体を閉じた状態で基箱と蓋体とを強固にロックするため、インキの乾燥を防止し、あるいはインキが外へ漏れるのを防止することができる。
このようなロック部材としては、特許文献１に示されるように、基箱に枢着される先端部に締付ローラーを回転自在に設けた締付腕と、蓋体に形成される前記締付ローラーを嵌入係止する係止部とからなり、前記締付ローラーと係止部との係合により蓋体をロックするものが一般的である。
また、蓋体の開閉作業を簡単にできるスタンプ台として、特許文献２に示されるように、外部に露出した開蓋ボタンを指で押すと、開蓋ボタンが揺動して蓋の内面に接触している押圧部が蓋を押し上げ、蓋を開くことができるスタンプ台が広く知られている。
【特許文献１】実開昭５０−５１７１０号公報
【特許文献２】実開平０６−５７６６１号公報
【発明の開示】
【発明が解決しようとする課題】
【０００３】
しかしながら、前記のような特許文献１のスタンプ台では、インキの乾燥を防止するため、使用の都度前記ロック部材でロックをする必要があり、少しの間押印作業を中断する際も、一々ロックする必要があり作業が煩雑であった。揮発性のあるインキを含浸させたスタンプ台では、特に不便であった。仮に、前記蓋体が前記基箱に嵌脱自在に嵌合していた場合、使用の都度前記ロック部材でロックをする必要はなくなるが、蓋体と基箱をそれぞれ手で持って開蓋する必要があり、開蓋操作が大変煩わしいものであった。
また、前記のような従来のロック部材の場合、ロックを解除して蓋体を開いた状態では締付腕がフリーな状態となり、自重で基箱の下方側へ垂れ下がるという現象が生じ、垂れ下がった締付腕が邪魔になるという問題があった。また、特に工場や各現場等で使用される強着性インキのスタンプ台の場合は、作業者が起立したまま片手にスタンプ台を持った体勢で押印作業を行うので、前記のように締付腕が垂れ下がった状態ではスタンプ台をしっかり持ちにくいという問題があった。更には、従来のロック部材の場合は締付腕や締付ローラーが基箱より飛び出した構造であり、デザイン的に劣るという問題点や、ワイヤー製の締付腕を取り付けるのに厳格な寸法精度が要求されるため、生産効率が悪くなる傾向があるという問題もあった。
【０００４】
また、特許文献２のスタンプ台には、開蓋ボタンをロックする機構がないため、蓋体の開閉作業が簡単になる反面、開蓋ボタンが意に反して押された場合、使用者の気付かないうちに、インキが乾燥したり、インキが外に漏れだす不具合が生じていた。
【課題を解決するための手段】
【０００５】
上記の課題を解決するために完成された第１の発明の印褥具は、インキ吸蔵体を収納した基箱の一側縁に蓋体を開閉自在に枢着し、他端の側縁に蓋体をロックするロック部材を取り付け、また閉蓋時、前記蓋体は前記基箱に嵌脱自在に嵌合してなる印褥具であって、前記ロックを解除するように前記ロック部材を回動した場合、前記蓋体に形成される解除片と、前記ロック部材に形成される解除用突出片とが係合し、前記基箱と前記蓋体との嵌合を解除することを特徴とする。
また、第２の発明の印褥具は、前記ロックを解除するように前記ロック部材を回動した場合、基箱に形成されるストッパー片と、ロック部材に形成されるストッパー用突出片とが係合し、前記ロック部材が水平位置よりも下方側へ回動しないように規制することを特徴とする第１の発明の印褥具である。
【発明の効果】
【０００６】
本発明は、閉蓋時、前記蓋体が前記基箱に嵌脱自在に嵌合してなる印褥具のため、前記蓋体を前記基箱に気密を保持するように嵌合すればインキの乾燥が防止され、使用の都度前記ロック部材でロックをする必要はない。よって、少しの間押印作業を中断する際も、前記蓋体を前記基箱に嵌合固定しておけば、一々ロック部材をロックする必要がない。これは、揮発性のあるインキを含浸させたスタンプ台では、特に有効である。
また、押印作業が終了し、比較的長期間保存する場合は、前記蓋体と前記基箱とを前記ロック部材でロックしておけば、前記蓋体と前記基箱との間の嵌合を補完する二重ロックとなり、前記蓋体と前記基箱との嵌合をより強固なものとできる。
【０００７】
また、前記ロックを解除するように前記ロック部材を回動した場合、基箱に形成されるストッパー片と、ロック部材に形成されるストッパー用突出片とが係合し、前記ロック部材が水平位置よりも下方側へ回動しないように規制することができるため、従来のようにロック部材が自重で基箱の下方側へ垂れ下がることが防止されスタンプ台をしっかりと持つことが可能となる。しかも、前記ロック部材が水平位置にあるため、これを指係り部として利用できるので、スタンプ台をよりしっかりと持つことができる。
また、前記ストッパー片とストッパー用突出片との係合は厳格な寸法精度がなくても確実に行われるので、寸法精度を緩くでき成形効率を大幅に向上させることができる。また、ロック部材の取付が容易であり、また簡単かつ安価に生産することができる。また、蓋体を閉めた場合に凹凸のないロック部を構成することができ、優れた外観品質を奏することができる。
【０００８】
また、前記ロックを解除するように前記ロック部材を回動した場合、前記蓋体に形成される解除片と、前記ロック部材に形成される解除用突出片とが係合し、前記基箱と前記蓋体との嵌合を解除するため、蓋体の開閉作業を簡単にできる。また、閉蓋時、前記ロック部材は、蓋体に嵌合保持されるため、不用意にロック部材が回動することを防止でき、それゆえインキの乾燥や、インキ漏れの発生を防止できる。
【発明を実施するための最良の形態】
【０００９】
次に、図面を参照しつつ本発明の第１の実施例を示す。
図１は、本発明のスタンプ台を示す全体斜視図、図２はその平面図、図３および図４は、図２におけるＡ−Ａ断面図およびＢ−Ｂ断面図であり、また、図５〜図８は、分解した蓋体、基箱およびロック部材のそれぞれの斜視図である。
なお、図において、１は基箱、２は蓋体、３は蓋体２を基箱１に開閉自在に枢着するヒンジ部、４は基箱内に収納されるインキ吸蔵体であり、以上の基本的な構成は従来のスタンプ台と同じである。
【００１０】
また、基箱１のヒンジ部３を取付けた側縁と反対側である他端の側縁には、蓋体２のロック部材５が取り付けてある。そして、この発明では、このロック部材５に、ロック解除するよう回動した場合、前記蓋体２に形成される解除片２ａと、前記ロック部材５に形成される解除用突出片５ａとが係合し、前記基箱１と前記蓋体２との嵌合を解除するように構成されている。図３（および、図５、図６）に示されるように、蓋体２のヒンジ部３を取り付けた側縁と反対側である他端の側縁には、下方へ延びる解除片２ａが垂設されている。なお、図５に示されるように、実施例では、解除片２ａを左右に２個設けたものとなっているが、その他に連続した板状の解除片２ａとすることもできる。
【００１１】
閉蓋時、前記蓋体２は前記基箱１に着脱自在に嵌合している。嵌合方法としては、凹凸嵌合、圧入嵌合等種々採用可能であるが、例えば蓋体２の内周面設けた嵌合凸部２ｃと、基箱１の相対する位置に設けた嵌合凹部１ａを嵌合させればよい。その際、基箱１と蓋体２とが当接する部分で気密を保持させながら嵌合してもよいし、別途公知のパッキンを用いて気密を保持してもよい。パッキンは、合成ゴム、熱可塑性エラストマー等通常使用される材質を用いることができるが、インキ組成によっては、耐溶剤性、溶剤の透過性、耐候性等を考慮し任意に選択できる。
【００１２】
ロック部材５にはロック解除するよう回動した場合に、前記解除片２ａに係合可能な解除用突出片５ａが形成されている。そして、この解除片２ａと解除用突出片５ａとの係合により、ロック部材５をロック解除するよう回動した場合に、前記基箱と前記蓋体との嵌合を解除するように構成されている。図１３に示すように、解除片２ａの周面を丸めて、カム面２ｂを設ける。カム面２ｂは、解除用突出片５ａと当接して、ロック部材５の押圧力を蓋開放方向の力に変換する。
【００１３】
実施例のものでは、前記ロック部材５は、図８に示されるように、断面コ字状の板材よりなり、下部側の折り返し部側縁に、解除片２ａと係合可能な解除用突出片５ａを設ける。また、ロック部材５は下部側において基箱１の側縁に枢着部５ｃで枢着されており、この枢着部５ｃを中心に自在に回動して、蓋体をロックするロック状態と、蓋体のロックを解除するロック解除状態の２態様をとるように構成されている。
【００１４】
また、前記ロック部材５の上部側の折り返し部は、前記ロック状態において、蓋体２の係止用凹部８に嵌め込まれて蓋体２の表面とフラットな面を形成するフラット係合片５ｂとされており、これにより、蓋を閉めた場合に凹凸がなくフラットな状態のロック部を構成するようになっている。
【００１５】
本発明の第１の実施例は以上のような構成であり、次にその作用について詳細に説明する。
先ず、本発明における蓋体２の開閉操作について説明する。スタンプ台を使用しない場合は、前記蓋体２を前記基箱１に嵌合する。特に、揮発性のあるインキを含浸させている場合は、基箱１と蓋体２との間で気密保持させながら嵌合する。これにより、インキの乾燥を防止し、またインキが外へ漏れるのを防止する。
また、スタンプ台を比較的長期間使用しない場合は、図３に示されるように、蓋体２を閉じて基箱１に嵌合したのち、さらにロック部材５のフラット係合片５ｂを蓋体２に係止してロック状態とする。これは、前記蓋体２と前記基箱１との間の嵌合を補完する二重ロックとなり、前記蓋体２と前記基箱１との嵌合をより強固なものとできる。この場合、ロック部材５は枢着部５ｃを中心に回動して垂直に立った状態とされ、上部側のフラット係合片５ｂは、蓋体２の係止用凹み部８に嵌め込まれて蓋体２の表面とフラットな面を形成している。したがって、ロック部材５は基箱１や蓋体２から飛び出すことがなく面一となるため、優れた取扱い性を発揮するとともに、優れた外観品質を奏することとなる。
【００１６】
次に、スタンプ台を使用する場合は、図９、図１０に示されるように、ロック部材５のロック状態を解除して蓋体２を開く。図９はロック解除した状態を示す平面図、図１０は図９のＣ−Ｃ断面図であり、また図１２はロック部材の回動状態（４５度回動した状態）を示す断面図、図１３は図１２のＣ部拡大図である。
この場合、ロック部材５は枢着部５ｃを中心に反時計回りに回動されてロック解除されるが、ロック部材５が回動するにつれ、前記蓋体２に形成される解除片２ａと、前記ロック部材５に形成される解除用突出片５ａとが係合して、ロック部材５の押圧力が蓋体２を開放する方向の力に変換されるため、前記基箱１と前記蓋体２との嵌合が解除される。
このように、ロックを解除するように前記ロック部材５を回動した場合、前記蓋体２に形成される解除片２ａと、前記ロック部材５に形成される解除用突出片５ａとが係合し、前記基箱１と前記蓋体２との嵌合を解除するため、蓋体２の開閉作業を簡単に行うことができる。
【００１７】
次に、図面を参照しつつ本発明の第２の実施例を示す。前記第１の実施例と重複する箇所は省略する。
図４（および図７）に示されるように、ロック解除するように前記ロック部材５を回動した場合に、ロック部材５が水平位置よりも下側へ回動しないように規制するため、基箱１にストッパー片６を形成し、このストッパー片６に係合するように、ロック部材５にストッパー用突出片５ｄを形成する。これにより、ロック部材５が自重で基箱１の下方側へ垂れ下がることが防止されスタンプ台をしっかりと持つことができるように構成されている。
【００１８】
また、前記ストッパー片６は、基箱１のヒンジ部３を取り付けた側縁と反対側である他端の側縁に、下方へ延びるように垂設されている。なお、図７に示されるように、実施例では、切り欠き部７が形成されて、両端にストッパー片６を設けたものとなっているが、実施例１で示した解除片２ａと干渉しなければ、両端でなく、中央部に設けてもよいものである。
【００１９】
一方、ロック部材５にはロックを解除するよう回動した場合に、前記ストッパー片６に係合可能なストッパー用突出片５ｄが形成されている。そして、このストッパー片６とストッパー用突出片５ｄとの係合により、ロック部材５をロック解除するよう回動した場合に、ロック部材５が水平位置で止まり、それよりも下方側へ回動しないよう構成されている。
【００２０】
実施例のものでは、前記ロック部材５は、図８に示すように、断面コ字状の板材よりなり、下部側の折り返し部がストッパー片６に係合可能なストッパー用突出片５ｄとされている。また、ロック部材５は下部側において基箱１の側縁に枢着部５ｃで枢着されており、この枢着部５ｃを中心に自在に回動して、蓋体をロックするロック状態と、蓋体のロックを解除するロック解除状態の２態様をとるように構成されることは、実施例１と同様である。
ここで、前記解除用突出片５ａとストッパー用突出片５ｄは、ともに前記ロック部材５の下部側の折り返し部に形成されるものであるが、相対する解除片２ａやストッパー片６に係合可能であれば、その位置や個数は、適宜採用可能である。
【００２１】
本発明の第２の実施例は以上のような構成であり、次にその作用について詳細に説明する。
スタンプ台を使用する場合は、図９、図１１に示されるように、ロック部材５のロック状態を解除して蓋体２を開く。この場合、ロック部材５は枢着部５ｃを中心に反時計回りに回動されてロック解除されるが、ロック部材５が水平位置まで回動すると、ストッパー用突出片５ｄがストッパー片６に係合してそれ以上の回動が規制されることとなる。この結果、ロック部材５は水平位置よりも下方側へは回動せず、水平状態を保持することとなる。
【００２２】
このように、従来はロック部材がロックを解除した状態において自重で基箱１の下方側へ垂れ下がり邪魔になるという問題点があったのに対し、本実施例ではロック部材が水平状態を保持するので使い勝手が大幅に向上することとなる。また、工場や現場等においてスタンプ台を片手で持って使用する場合にも、ロック部材５が水平位置よりも下方側へ回動しないように規制されているので、このロック部材５を指係り部として利用することができ、しっかりとスタンプ台を持つことができることとなる。
【００２３】
尚、本発明を前記実施例により説明したが、本発明は前記実施形態に何ら限定されるものではなく、本発明の要旨を逸脱しない範囲内で種々の改良、変形が可能であることは勿論である。
【図面の簡単な説明】
【００２４】
【図１】本発明の実施の形態を示す全体斜視図
【図２】本発明の実施の形態を示す平面図
【図３】図２におけるＡ−Ａ断面図
【図４】図２におけるＢ−Ｂ断面図
【図５】蓋体を示す斜視図
【図６】蓋体を裏返した状態を示す斜視図
【図７】基箱を示す斜視図
【図８】ロック部材を示す斜視図
【図９】ロック解除した状態を示す平面図
【図１０】図９におけるＣ−Ｃ断面図
【図１１】図９におけるＤ−Ｄ断面図
【図１２】ロック部材の回動状態を示す断面図
【図１３】図１２のＣ部拡大図
【符号の説明】
【００２５】
１      基箱
１ａ    嵌合凹部
２      蓋体
２ａ    解除片
２ｂ    カム面
２ｃ    嵌合凸部
３      ヒンジ部
４      インキ吸蔵体
５      ロック部材
５ａ    解除用突出片
５ｂ    フラット係合片
５ｃ    枢着部
５ｄ    ストッパー用突出片
６      ストッパー片
７      切り欠き部
８      係止用凹部
【図１】
2010069813.tif 000003
【図２】
2010069813.tif 000004
【図３】
2010069813.tif 000005
【図４】
2010069813.tif 000006
【図５】
2010069813.tif 000007
【図６】
2010069813.tif 000008
【図７】
2010069813.tif 000009
【図８】
2010069813.tif 000010
【図９】
2010069813.tif 000011
【図１０】
2010069813.tif 000012
【図１１】
2010069813.tif 000013
【図１２】
2010069813.tif 000014
【図１３】
2010069813.tif 000015